(57)【要約】【課題】タッチパネルの表面に複数の入力キーを有し、且つ片手で係る入力キーへの入力操作を確実に且つ効率良く行える携帯情報端末機を提供する。【解決手段】本体２の表面３に位置するタッチパネルＰに配置された複数の入力キーｋと、係る入力キーｋごとの真上に位置し且つ上記本体２の表面３に対して進退可能な複数の押し片２０と、を含み、係る押し片２０は、指先が接触可能な頭部２１と、係る頭部２１の底面から垂下し且つ入力キーｋの表面に先端が近接するピン２４と、上記頭部２１の周囲に位置し且つ本体２に対して伸縮可能な弾性部２２と、を備えている、携帯情報端末機１。【選択図】  図４
0003107960.tif 000002
【実用新案登録請求の範囲】
【請求項１】
本体の表面に位置するタッチパネルに配置された複数の入力キーと、
上記複数の入力キーごとの真上に位置し且つ上記本体に対して進退可能な複数の押し片と、を含み、
上記押し片は、指先が接触可能な頭部と、係る頭部の底面から垂下し且つ前記入力キーの表面に先端が近接するピンと、を備えている、
ことを特徴とする携帯情報端末機。
【請求項２】
前記押し片は、前記頭部の周囲に位置し且つ前記本体に対して伸縮可能な弾性部、または、上記頭部の周囲に位置し且つ前記ピンの進退を可能とするガイド部およびその付近に位置するバネの何れかを備えている、
ことを特徴とする請求項１に記載の携帯情報端末機。
【請求項３】
前記複数の押し片は、前記本体の表面上に被覆される透明または半透明のカバーに穿孔した複数の貫通孔に、前記弾性部の外側に位置する係止部または前記ガイド部によって、個別に係止されている、
ことを特徴とする請求項１または２に記載の携帯情報端末機。
【考案の詳細な説明】
【技術分野】
【０００１】
本考案は、タッチパネルの表面に複数の入力キーを有し、片手で係る入力キーへの入力操作を確実に且つ効率良く行える携帯情報端末機に関する。
【背景技術】
【０００２】
携帯情報端末機（ＰＤＡ）は、営業活動や出張の多い会社員などに広く活用されているが、最近では、例えばシニア世代や、身体障害者を一方または双方の当事者とするコミニュケーションの補助アイテムとしても利用が検討されている。
ところで、携帯情報端末機の本体における表面には、縦・横方向に沿って複数の入力キーを互いに隣接して配置したタッチパネルが配設されている。係るタッチパネルにおける複数のキーは、ボタン式の入力キーに比べ厚みが薄くできる。
【０００３】
しかし、タッチパネルの入力キーは、本体を保持した片手の指先で操作するに際し、親指の腹で各入力キーを押した場合、入力キーごとに加わる面圧が低いため、入力できたか否か、使用者がわかりにくいことがある。
このため、同じ入力キーを誤って複数回押す入力ミスや、押したと勘違いして必要な入力を落とす入力エラーを生じるおそれがあった。係る入力ミスや入力エラーは、携帯電話の片手操作に不慣れなシニア世代や身体障害者において特に招き易いため、その改善が求められている。しかしながら、これまでのところ、係る入力の改善について、確実で且つ実用的な提案は、成されていない。
【考案の開示】
【考案が解決しようとする課題】
【０００４】
本考案は、背景技術において説明した問題点を解決し、タッチパネルの表面に複数の入力キーを有し、且つ片手で係る入力キーへの入力操作を確実に且つ効率良く行える携帯情報端末機を提供する、ことを課題とする。
【課題を解決するための手段】
【０００５】
本考案は、前記課題を解決するため、タッチパネルの入力キーごとの真上に係る入力キーの表面に当接するピンを進退可能に配置する、ことに着想して成されたものである。
即ち、本考案の携帯情報端末機（請求項１）は、本体の表面に位置するタッチパネルに配置された複数の入力キーと、係る複数の入力キーごとの真上に位置し且つ上記本体に対して進退可能な複数の押し片と、を含み、係る押し片は、指先が接触可能な頭部と、係る頭部の底面から垂下し且つ前記入力キーの表面に先端が近接するピンと、を備えている、ことを特徴とする。
【０００６】
また、本考案には、前記押し片は、前記頭部の周囲に位置し且つ前記本体に対して伸縮可能な弾性部、または、上記前記頭部の周囲に位置し且つ前記ピンの進退を可能とするガイド部およびその付近に位置するバネの何れかを備えている、携帯情報端末機（請求項２）も含まれる。
更に、本考案には、前記複数の押し片は、前記本体の表面上に被覆される透明または半透明のカバーに穿孔した複数の貫通孔に、前記弾性部の外側に位置する係止部または前記ガイド部によって、個別に係止されている、携帯情報端末機（請求項３）も含まれる。
【考案の効果】
【０００７】
前記請求項１の携帯情報端末機によれば、比較的小さな複数の入力キーが配置されたタッチパネルにおいて、係るタッチパネルを表面に有する本体を片手で保持した利用者が、前記押し片ごとのピンに対して親指により高い面圧を加えつつ、各入力キーを確実に押す操作を行うことができる。このため、所要の文章や話し言葉などを、正確で確実に且つ効率良く入力することが可能となる。
尚、本考案の携帯情報端末機は、ワープロ機能は基より、表計算ソフト、電子辞書、住所録や顧客リストなどの書き込み・読み出し機能、電話機能のほか、聾唖者などを補助する文字表示機能、難聴者などを補助する音声・文字変換・表示機能などを有するものが含まれる。また、本体を片手で保持するため、本体の裏面に人差し指から小指までを内側に挿入できる弾性バンドを取り付けても良い。
【０００８】
また、前記請求項２の携帯情報端末機によれば、本体を片手で保持した状態で、押し片ごとのピンにより高い面圧を伴いつつ、各入力キーごとに確実に押す操作をできる。また、係る操作の解除後は、前記弾性部またはバネにより、ピンを含む押し片を元の位置に自動的に復帰させることができる。このため、所要の文章や話し言葉などを入力するため、連続した入力操作を正確に行うことが可能となる。尚、前記ガイド部は、次述するカバーの貫通孔に係止し且つ当該貫通孔および前記ピンの軸方向に沿って、当該ガイド部を含む押し片を移動可能に係止される。
【０００９】
更に、前記請求項３の携帯情報端末機によれば、複数の前記押し片は、本体の表面を覆うカバーの各貫通孔に、前記係止部またはガイド部が個別に係止されるため、各押し片のピンを複数の入力キーごとの真上に精度良く配置することができる。このため、前記入力操作を各押し片およびピンを介して、各入力キーに対し確実に行うことができる。
尚、前記カバーは、本体の裏面および四隅部分を覆う硬質樹脂または硬質ゴムのベースに対し、その一辺で回転可能に支持される形態や、または前記ベースの四隅部分または本体の表面に脱着可能とされる形態が含まれる。また、係るカバーは、不要時には本体から取り外すことも可能である。
【考案を実施するための最良の形態】
【００１０】
以下において、本考案を実施するための最良の形態を説明する。
図１は、本考案の適用対象である携帯情報端末機１の正面図を、図２は、図１中の矢印Ｘ方向からの視覚による側面図を示す。
携帯情報端末機１は、図１，図２に示すように、偏平な直方体の本体２と、係る本体２の表面３に位置するタッチパネルＰ内に配置された複数の入力キーｋと、タッチパネルＰに隣接する文字などの表示部６と、モード切替ボタン８と、表面３の下部に位置する各種の操作ボタンｂと、を備えている。
また、図２に示すように、本体２を片手で保持するため、当該本体２の裏面４に人差し指から小指までを本体２との間（内側）に挿入できる弾性を有するバンド５が、裏面４の長辺方向に沿って取り付けられている。
尚、図１，図２に示した携帯情報端末機１は、複数の入力キーｋが本体２の表面３における右辺寄りに位置し、右手で本体２の右辺付近を掴みつつ、その親指で各入力キーｋを操作する右利き用のものである。
【００１１】
図３は、前記複数の入力キーｋごとの真上に、本体２の表面３に対して進退可能な押し片２０を、個別に複数配置した状態の本考案に係る携帯情報端末機１を示す正面図、図４は、図３中のＹ−Ｙ線の視角に沿った断面図である。
各押し片２０は、図３，図４に示すように、透明または半透明のカバー１４に穿孔した複数の貫通孔１８に、個別に係止されている。上記カバー１４は、断面ほぼコ字形を呈し、本体２の裏面４に接し且つ硬質樹脂からなるベース１３の左辺にヒンジ部分１５を介して、回転可能に支持されると共に、本体２の表面３に対向するように、ベース１３の右辺の凹溝１７に先端辺の凸条１６が嵌合する。
また、図３に示すように、ベース１３と一体で左右一対の下隅部分１１は、本体２の下隅部を外側から囲み、ベース１３と一体で左右一対の上隅部分１２は、本体２の上隅部を左右から囲い且つ上方から当該本体２を出し入れ可能とする。尚、係るベース１３とカバー１４は、本体２を保護するホルダ１０を形成する。
【００１２】
押し片２０は、例えば、ポリプロピレンなどの合成樹脂からなり、図４および係る図４中の各押し片２０の付近を拡大した図５の左側に示すように、頭部２１、弾性部２２、係止部２３、およびピン２４を一体に備えている。
上記頭部２１は、親指などの指先が接触する平面視がほぼ四角形を呈し、係る頭部２１の周囲に薄肉の弾性部２２が位置し且つ本体２の表面３に対し斜め向きに延びている。また、上記頭部２１の底面から垂下する円柱形のピン２４は、先端が本体２の入力キーｋごとの表面に近接している。更に、上記弾性部２２の外側に位置する係止部２３は、そのリング溝２３ａにカバー１４の各貫通孔１８の周縁を嵌合することで、当該押し片２０をカバー１４に係止している。
尚、各入力キーｋは、図５の左側の待機状態に示すように、通常、タッチパネルＰの表面と面一になっている。
【００１３】
薄肉の弾性部２３は、ほぼ四角錐形を呈し、図５の右側に示すように、垂直方向の矢印に沿って、頭部２１を真下の入力キーｋに向かって利用者が指先で押し込むと、当該弾性部２２がほぼ逆四角錐の形状に弾性変形する。このため、ピン２４の先端が入力キーｋに当接し、更に当該入力キーｋを下向きに押し下げる。
この場合、利用者は、押し片２０の頭部２１を親指の腹で押した際、ピン２４を介して高い面圧を伴って入力キーｋを押圧できるため、押し込み操作を損じたり、逸することなく、確実に行える。
頭部２１への押し込み力を解除すると、水平な破線の矢印で示すように、弾性部２２が当初の形状に弾性変形するため、押し片２０の頭部２１、係止部２３、およびピン２４は、図５の左側に示す待機状態に、自動的に復帰する。
【００１４】
前記のように、図５中の水平な実線および破線の矢印で示すように。同図における左側の待機状態と右側の入力操作状態とを交互に繰り返すことにより、個々の入力キーｋを押し片２０のピン２４により高い面圧を伴って確実に押し込めると共に、所要の文章や話し言葉などを正確且つ効率良く入力することができる。
従って、例えば、携帯電話の片手操作に不慣れなシニア世代や身体障害者であっても、入力ミスや入力エラーを伴うことなく、確実な入力操作を実行することが可能となる。また、災害時における緊急の連絡にも、確実な入力操作を行えるため、正確な情報を伝達することで、救助活動を効果的にすることも可能となる。
【００１５】
図６は、異なる形態の押し片２５を示す図５と同様な拡大図である。
押し片２５も、前記同様の合成樹脂からなり、図６の左側の待機状態で示すように、頭部２６、平板部２７、ガイド部２８、およびピン２９を一体に備える。
上記頭部２６は、親指の指先が接触する平面視が円形を呈し、係る頭部２６の周囲に水平な平板部２７が位置すると共に、上記頭部２７の底面の中心部から円柱形のピン２９が各入力キーｋごとの表面にその先端が近接するように垂下する。
また、上記平板部２７の下側に位置するリング形のガイド部２８は、そのリング溝２８ａをカバー１４の各貫通孔１８に上下（内外）方向に移動可能にして、係止されている。更に、ガイド部２８の下側には、カバー１４における貫通孔１８の周囲から垂下した断面ほぼＬ字形のリング鍔１９が対向し、ガイド部２８とリング鍔１９との間に位置する空間１９ａには、ピン２９の周囲を囲み且つ下側ほど拡径するほぼ円錐形状の板バネ（バネ）ｓが、圧縮状態で挿入・介在されている。尚、板バネｓは、ピン２９を貫通させる全体がほぼ長方形のものでも良い。
【００１６】
図６の右側に示すように、垂直方向の矢印に沿って、頭部２６を真下の入力キーｋに向けて、板バネｓを更に圧縮しつつ利用者が指先の腹で押し込むと、ピン２９は、その先端が入力キーｋの表面に当接し、更に当該入力キーｋを下向きに押し下げる。この場合も、利用者は、押し片２５の頭部２６を親指の腹で押した際に、ピン２９を介して高い面圧を伴って入力キーｋを押圧できるため、押し込み操作を損じたり、逸することなく、確実に行うことができる。
更に、頭部２６への押し込み力を解除すると、破線の矢印で示すように、前記板バネｓが伸長して当初の形状に復帰するため、押し片２５の頭部２６、平板部２７、ガイド部２８、およびピン２９は、図６の左側に示す待機状態に、自動的に復帰する。
【００１７】
前記のように、図６中の水平な実線および破線の矢印で示すように。同図における左側の待機状態と右側の入力操作状態とを交互に繰り返すことにより、個々の入力キーｋを押し片２５によって面圧をもって確実に押し込みと共に、所要の文章や話し言葉などを正確且つ効率良く入力することができる。
尚、前記板バネｓに替えて、各押し片２５ごとにおけるガイド部２８とリング鍔１９との間の空間１９ａに、下側寄りほど拡径するコイルバネ（バネ）を圧縮状態で配置しても良い。
【００１８】
本考案は、以上において説明した各形態に限定されるものではない。
例えば、前記図１の携帯情報端末機１において、複数の入力キーｋを本体２の表面３における左辺寄りに位置させ、且つ表示部６を表面３の右辺寄りに配置することで、左手で本体２の左辺付近を掴みつつ、その親指で各入力キーｋを操作する左利き用の携帯情報端末機としても良い。
また、本考案に用いるカバーは、前記本体２の表面３側のみに上方から被せつつ本体２自体にセットする形態としても良い。
更に、前記押し片２０，２５の頭部２１，２６の上面に表示する文字や数字などを蛍光塗料で描くことにより、夜間や停電時にも本考案の携帯情報端末機１を、十分に活用することが可能となる。
加えて、前記本体２に小型のＣＣＤカメラを内蔵させ、画像を取り込み可能とすると共に、係る画像情報を文字情報と合成したり、これらの情報を外部と発信・受信できる携帯情報端末機１とすることも可能である。
【図面の簡単な説明】
【００１９】
【図１】本考案が適用される携帯情報端末機を示す正面図。
【図２】図１中の矢印Ｘの方向に沿った視覚での上記携帯情報端末機の側面図。
【図３】本考案に係る携帯情報端末機を示す正面図。
【図４】図３中のＹ−Ｙ線の矢視に沿った断面図。
【図５】図４中の押し片付近の拡大図およびその操作状態を示す拡大図。
【図６】異なる押し片付近の図５と同様な拡大図およびその操作状態を示す拡大図。
【符号の説明】
【００２０】
１……………携帯情報端末機、                ２……………本体、
３……………表面、                          １４…………カバー、
１８…………貫通孔、                        ２０，２５…押し片、
２１，２６…頭部、                          ２２…………弾性部、
２３…………係止部、                        ２４，２９…ピン、
２８…………ガイド部、                      Ｐ……………タッチパネル、
ｋ……………入力キー、                      ｓ……………板バネ（バネ）
【図１】
0003107960.tif 000003
【図２】
0003107960.tif 000004
【図３】
0003107960.tif 000005
【図４】
0003107960.tif 000006
【図５】
0003107960.tif 000007
【図６】
0003107960.tif 000008